【手続補正書】
【提出日】平成17年2月25日(2005.2.25)
【手続補正１】
【補正対象書類名】明細書
【補正対象項目名】全文
【補正方法】変更
【補正の内容】
【書類名】      明細書      【発明の名称】  光ファイバテープ心線加傷工具      【特許請求の範囲】        【請求項１】  複数の光ファイバ心線を平面的に配列し一体的に被覆した多心線からなる光ファイバテープ心線を、単心の光ファイバ心線に分離するための加傷工具であって、  第１の部材と第２の部材とにより前記光ファイバテープ心線を挟み込み長手方向に摺動可能に保持する保持部材と、  少なくとも前記第１の部材または前記第２の部材のいずれか一方に配設され、前記第１の部材及び前記第２の部材で挟んだ状態で前記光ファイバテープ心線の一部を収容し、前記光ファイバテープを長手方向に通過させる溝状部と、  前記第１の部材または前記第２の部材の少なくとも一方に設けられ、前記溝状部に収容される前記光ファイバテープ心線に向かって突出し、前記光ファイバテープ心線の長手方向に対して所定の間隔を置いて配置され、前記溝状部を通過させることにより前記光ファイバテープ心線を単心の光ファイバ心線に分離する複数の分割刃と、を備えることを特徴とする光ファイバ心線加傷工具。  【発明の詳細な説明】      【０００１】    【発明の属する技術分野】  本発明は、ケーブル内に収容された多心線からなる光ファイバテープ心線を個々の光ファイバ心線に分離するために使用する加傷工具に関する。      【０００２】    【従来技術】  近年、光加入線路網の構築が急速に進んでいる。一般住宅に光ファイバを引き込む場合、多くの光ファイバ心線が収容されたスロット型アクセスケーブルから必要な光ファイバ心線を取り出して、各戸の軒先まで光ファイバ心線を配線（引き落とし）するためのドロップケーブルに接続する。図１０（ａ）にスロット型アクセスケーブルの一例を示す。光ファイバケーブル３０が支持線３１により連結部材３２を介して吊り下げられている。この光ファイバケーブル３０は外被（シース）３３と、ケーブルコア３５と、このコアに設けられたＳＺスロット３４に収容された光ファイバテープ心線の積層体から成る。光ファイバテープ心線は、複数の光ファイバ心線を平面的に配列し一体的に被覆した多心線である。      【０００３】  図１０（ｂ）に図１０（ａ）に示すＡ−Ａ’線方向断面図を示す。図をわかり易くするため、断面部のハッチングは省略している。支持線３１は単鋼線３９を複数本撚り合わせて構成されており、複数のスロット３４内には、複数の光ファイバ心線を一体的化した光ファイバテープ心線３６が、多数収容されている（例えば、図１０（ｂ）では、４心線光ファイバテープ心線を５層に積層したものを示している）。図１０（ｃ）は各戸毎に光ファイバ心線を引き落とすためのドロップケーブルの一例を示す断面図である。ドロップケーブルは、光ファイバ心線４２及び２本の銅線４３とからなるケーブル本体部と、ケーブル本体を支持する支持線４１とからなる。      【０００４】  光ファイバの戸別軒先への引き落としは、１加入１心線が最低単位となるため、スロット型アクセスケーブルから任意の一つの光ファイバ心線を取り出して、ドロップケーブルに接続することが望ましい。そのためにはスロット型アクセスケーブルに収容されている光ファイバテープ心線３６を単心の光ファイバ心線に分離し、接続する光ファイバ心線を取り出す必要がある。      【０００５】  光ファイバケーブル３０から分岐のための光ファイバ心線を取り出すためには、図示するように外被３３を剥き、ＳＺスロット３４から光ファイバテープ心線３６を取り出し、これを個々の心線に分離し、分離された心線を切断してドロップケーブルに接続する作業を行なう。      【０００６】  多心線からなる光ファイバテープ心線を分離する分離工具としては、２つの基板に加傷刃及び剪断コマを埋め込んだ分離工具（特許第２７６８７８３号、特開平７−１１３９１５）が知られている。      【０００７】    【発明が解決しようとする課題】  しかし、このような従来の分離工具では、ケーブル中間部で心線を取り出して分岐するために、外皮を除去したケーブルから光ファイバテープ心線を中間部で取りだし単心線に分離することが困難である。すなわち、作業は多数のテープ心線を収容したケーブルから、一つのテープ心線を切断することなく一部を引っ張りだして行なう必要があるため、従来の分離工具では、光ファイバテープ心線を分離作業の際に、分離工具と、他の光ファイバテープ心線やケープル部材とが干渉して、作業性が悪い。      【０００８】  本発明は、このような従来技術の課題に鑑みて為されたもので、作業性に優れ、光ファイバテープ心線の中間部において光ファイバ心線を正確に分離するためのコンパクトな加傷工具を提供することを目的とする。      【０００９】    【課題を解決するための手段】  本発明は、溝状部内に保持した光ファイバテープ心線を長手方向に移動させることにより、溝状部内に突出し摺動方向に所定の間隔を持って配設された分割刃により光ファイバテープ心線を単心の光ファイバ心線に分離するための加傷工具を提供することにより上記課題を達成するものである。      【００１０】  本発明の第一の態様にかかる光ファイバテープ心線加傷工具は、複数の光ファイバ心線を平面的に配列し一体的に被覆した多心線からなるファイバテープ心線を、単心の光ファイバ心線に分離するための加傷工具であって、第１の部材と第２の部材とにより光ファイバテープ心線を挟み込み長手方向に摺動可能に保持する保持部材と、第１の部材または第２の部材のいずれか一方に配設され、第１の部材及び第２の部材で挟んだ状態で光ファイバテープ心線の一部を収容し、光ファイバテープを長手方向に通過させる溝状部と、第１の部材または第２の部材の少なくとも一方に設けられ、溝状部に収容される光ファイバテープ心線に向かって突出し、光ファイバテープ心線の長手方向に対して所定の間隔を置いて配置され、溝状部を通過させることにより光ファイバテープ心線を単心の光ファイバ心線に分離する複数の分割刃とを備えることを特徴とする。      【００１１】 この態様により、光ファイバテープ心線を溝部内に挟みこみ摺動させるだけで、単心の光ファイバ心線への分離が可能となる。また、溝状部内に突出する複数の分割刃のみで分離するという単純な構造であるため、小型化も可能である。      【００１２】    【発明の実施の形態】  本発明の実施の形態について図１から図８を用いて説明する。図１は、光ファイバテープ心線を単心線に分離するために使用する本発明の一実施形態にかかる加傷工具を説明するための図である。（ａ）は光ファイバテープ心線を加傷する加傷工具の一例の外観を示す斜視図であり、（ｂ）は溝状部7を含む第２の部材２の先端部を拡大して示す拡大部分斜視図である。図１（ａ）の加傷工具は、第１の部材１と、第２の部材２とが、クロスされてほぼ中央部で軸３により回転可能に固定された構成となっている。第２の部材２の先端部には溝状部７が設けられており、第１の部材と第２の部材が互いに係合したときに溝状部７の上部開口が第１の部材により閉じられ、光ファイブテープ心線が溝状部７内に保持される。      【００１３】 光ファイバテープ心線（以下、適宜「テープ心線」と略称する）を単心線に分離する際には、第２の部材２に設けられた溝状部７にテープ心線を収容して第１の部材1及び第２の部材２により挟み込み、テープ心線を長手方向に摺動可能に保持する。第１の部材１及び第２の部材２の他端部には、第１の把持部１０及び第２の把持部２０が設けられている。把持部１０及び２０を互いに近づける方向に回転させ閉じると、溝上部７が設けられた他端部が閉じ、溝状部７内にテープ心線の一部が摺動可能に保持される。      【００１４】  テープ心線を単心の光ファイバ心線に分離する場合、溝状部７内にテープ心線を収容し保持ながらテープ心線を長手方向に摺動させるように、加傷工具またはテープ心線を移動させる。図１（ｂ）に示すように、溝状部７は、テープ心線の幅ｗより僅かに大きい幅ｗ＋αを有している。溝状部７は、テープ心線の左右及び上下の動きを規制しつつ長手方向に摺動通過させるものであるため、テープ心線の形状に適合する形状とすることが好ましい。テープ心線と加傷工具は相対的に移動すれば良いので、摺動操作は、加傷工具を固定してテープ心線を移動させるようにしても、またテープ心線を固定して加傷工具を移動させるようにしてもよい。本実施例では、溝状部７を第２部材２の長手方向と略直角方向に設けた構造をその１例として示している。しかし、テープ心線を摺動させるための操作性の観点から、図１（ａ）に破線８で示すような斜めに配置する構成としてもよい。このような構成により、加傷工具を体に密着させた状態でテープ心線を摺動させることが容易となり、さらに安定した分離操作が可能となる      【００１５】  溝状部７の内部には、テープ心線を挟み込み摺動したときに、テープ心線の皮膜を加傷し分離するための分割刃が設けられている。本実施例では、４個の光ファイバ心線を一体化したテープ心線を４つの単心線に分割する３個の分割刃１１〜１３を設けた構成を示している。分割刃１１〜１３の幅方向の位置は、テープ心線を構成する隣接する光ファイバ心線の中間位置に一つづつ配置され、各分割刃１１〜１３は光ファイバテープ心線の長手方向に所定の間隔を持って配置される。      【００１６】  分割刃は、テープ心線を上下から均等かつ滑らかに分割するためにテープ心線を挟みこむ第１の部材１と第２の部材２の双方に対抗するように設けることが好ましいが、何れか一方に上記加傷刃３が設ける構成とすることも可能である。また、３本の分割刃１１〜３は横方向の位置をずらされて配置され、止めネジ４で固定されている。本実施例では、分割刃として針状の加傷刃を示しているが、針状に限ら���、一定の長さがある板状の加傷刃でもよく、その本数は対象とする光ファイバテープ心線の心線数と分割する態様に応じて設定することができる。  また、この実施例では、溝状部７を第２の部材のみに設けているが、第１の部材に設けてもよく、また、溝状部７を分割して第１の部材及び第２の部材の双方に設けてもよい。      【００１７】  本実施例では、第１の部材1と第２の部材２とは略角型の構成としている。必ずしもこのような略角型にする必要はないが、このような角型形状とすると人手で保持した際に、回転しにくい点という利点を有する。第１の部材１とその把持部１０、第２の部材２とその把持部２０は、人手で取扱いが容易なように中間部で回転軸３を備えた、てこ状部材を構成している。この構成により、少ない力でテープ心線を挟み保持できる。      【００１８】  図１（ｂ）に示すように、第２の部材２には、位置合わせピン２３、ガイドピン２１、ガイドピン２２が設けられている。位置合わせピン２３は第１の部材１と第２の部材２が適正に嵌合するためのピンであり、第１の部材には対応する位置に図示しないピン孔が設けられている。また、ガイドピン２１と２２は上記溝状部７に光ファイバテープ心線が適正に挿入されるように担保するガイドピンであり、第１の部材１の対応する位置には図示しないピン孔が設けられている。加傷工具は現場で人手により使用されるので、人手による保持が容易なような寸法、好ましくは全長１５０ｍｍ程度である。      【００１９】  加傷工具により挟み付けられた状態で、光ファイバテープ心線を矢印５で示す方向に人手あるいは機械的に引抜くことにより、光ファイバテープ心線に傷を付け、例えば４心線光ファイバテープ心線を単心線×４本に分離する。光ファイバテープ心線を引き抜くのではなく、光ファイバテープ心線を固定し、工具を移動させることにより単心線に分離することも可能である。この例では、４心線光ファイバテープ心線を示しているが、例えば２心線から３２心線程度のテープ心線等各種のテープ心線内を分離することが可能である。また、４心線、８心線、１６心線、３２心線等を２心線毎に分けることも可能である。テープ心線に一体化された心線の数に合わせて、溝状部の幅、分割刃の数を心線の数に合わせて変更する必要がある。      【００２０】  図２は、図１（ａ）に示す加傷工具を挟み付けた状態を示す正面図であり、図３は図２に示すＢ−Ｂ’線方向の断面の一部を示す図である。溝状部７に第２の部材２に設けられた分割刃１１〜１３が下から上に突出しており、第１の部材１に設けられた分割刃１４〜１６が上から下に突出している。また、分割刃１１及び１４がねじ４により固定されている状態が示されている。図４は、テープ心線３６が挟時されつつ矢印方向に摺動されることにより、光ファイバ心線の単線に分離される状態を示している。テープ心線３６の分離にあたっては、図４に示すように加傷工具によりテープ心線３６を挟みこみ、テープ心線３６が保持された状態で溝部７内を通過するように、テープ心線３６または加傷工具を移動させる。これにより、テープ心線３６の上下面が加傷され、分割刃に対応した加傷部１７、１８、１９等が形成される。      【００２１】  次に、図５を用い���分割刃１１〜１３の配置について説明する。図５は、本発明の一実施形態にかかる溝状部７の分割刃の配置を説明するための図であり、溝状部７を開口部から見た平面図である。テープ心線３６を破線で示している。分割刃１１〜１３は、それぞれのテープ心線３６の幅方向に光ファイバ心線を単心に分割する間隔ｂ１〜ｂ４を持って配置され、摺動方向（テープ心線の長手方向）に所定の間隔ａ１、ａ２を持って配置される。ｂ１〜ｂ４は、光ファイバ心線の径等によって定まる。長手方向の間隔ａ１、ａ２は、同じ間隔であっても異なっても良く、テープを分割する際の摺動操作時にかかる応力、摺動摩擦等を考慮して定められる。      【００２２】  分割刃が長手方向にａ1、ａ2を持って配設する理由は、ａ1＝０およびａ2＝０にすると、テープ心線の幅方向の同一位置に同時に複数の分割刃が挿入されるため、加傷の際の摩擦が大きくなるからである。挿入が分割時の摩擦力が大きいと、分割作業に大きな力を必要とし、工具の微妙な動かし方によっては、テープ心線に大きな力がかかってしまう。その力によってテープ心線に曲げが入り、損失の増加を引き起こすおそれが高くなる。      【００２３】  図６に、加傷工具をテープ心線の長手方向に移動させることにより、テープ心線３６の上面及び下面に生じる加傷部１７〜１９及び２７〜２９のイメージを示す。図６では、下面の加傷部２７〜２９が見えるように、テープ心線３６の端面を示しているが、実際には、連続するテープ心線の中間部分を加傷し、単心の光ファイバ心線２５に分離することができる。各分割刃１１〜１３及び１４〜１６はテープ心線の長手方向に所定の間隔を置いて設けられている。そのため、各分割刃による切込み最先端位置が、テープ心線の幅方向に対して所定の角度をもって斜めにずれた位置となる。      【００２４】  図７は、本発明の他の実施例として、第１の部材１と第２の部材２に分割した溝状部５０及び５１を設けた加傷工具を示している。図８は、本発明のさらに他の実施形態を示す斜視図であり、複数の溝状部５２〜５４を有している。溝状部５２〜５４は、多心線からなるテープ心線の種類に応じて設けられている。図８では、外側から内側にかけて、心線数が多いテープ心線を分離するための溝状部が設けられている。しかし、その逆に外側の溝状部５２を心線数の多いテープ心線のための溝状部とすることも可能である。図９は、本発明に係る加傷工具のさらに他の実施形態を示す図である。この実施形態では、図１の例と異なりハンドル部がなく、第１の部材１と第２の部材２は、それぞれの端部で回転軸３で相互に連結され、例えば人手により第１の部材１と第２の部材２を押し付けて光ファイバ心線の分離を行なう構造である。工具の部材が簡略されて図示されており、図１の実施例と機構的には何ら変わりはない。      【００２５】    【発明の効果】  以上説明したように、本発明による加傷工具は、分割刃をテープ心線の摺動方向に所定の間隔を持って配置する構造としたことにより、光ファイバテープ心線を分割する際の摩擦を少なくすることが可能となり、クロージャ内での単心分離作業で問題となるような光テープ心線の曲げによる損失は発生せず、安全確実に単心分離を行なうことが可能となり、分離作業も容易となる。さらに、本発明の加傷工具では、テープ心線の摺動に大きな力を必要とせず、光ファイバ心線にダメージを与えるおそれや、分割位置のずれを生じることなく光ファイバ心線を分離することが可能となる。【図面の簡単な説明】    【図１】  光ファイバテープ心線を単心線に分離する本発明の一実施例にかかる加傷工具を説明するための図であり、（ａ）は加傷工具の斜視図、（ｂ）は溝状部の拡大斜視図である。    【図２】  加傷工具を挟み付けた状態を示す図１の左方向から見た図である。本発明にかかる第２の部材２の先端部及び溝状部７を示す拡大部分斜視図である。    【図３】  図２に示すＢ−Ｂ’線方向の断面の一部を示す断面図である。    【図４】  テープ心線が挟時されつつ矢印方向に摺動されることにより、光ファイバ心線の単線に分離される状態を示す斜視図である。    【図５】  本発明の一実施形態にかかる溝状部の分割刃の位置を説明するための図であり、溝状部を開口部方向から見た平面図である。    【図６】  加傷工具をテープ心線の長手方向に移動させることにより、テープ心線３６の上面及び下面に生じる加傷部のイメージを示す斜視図である。    【図７】  第１の部材１と第２の部材２に分割した溝状部５０及び５１を設けた本発明の他の実施例にかかる加傷工具を示す斜視図である。    【図８】  本発明のさらに他の実施形態を示す斜視図である。    【図９】  本発明に係る加傷工具のさらに他の実施形態を示す斜視図である。    【図１０】（ａ）はスロット型アクセスケーブルの一例を示す図であり、（ｂ）は（ａ）に示すＡ−Ａ’線方向の断面図、（ｃ）は各戸毎に光ファイバ心線を引き落とすためのドロップケーブルの一例を示す断面図である。    【符号の説明】    １  第１の部材    ２  第２の部材    ３  回転軸    ４  分割刃の止めネジ    ７、８  溝状部    １０、２０  把持部      １１〜１６  分割刃      １７〜１９、２７〜２９  切込み      ２１、２２  溝に光ファイバ心線を適正に挿入するためのガイドピン      ２３  上部材と下部材とを適正に位置決めするためのピン    ３０  光ファイバケーブル    ３５  光ファイバケーブルのコア    ３６  光ファイバテープ心線    ３７  光ファイバ心線
【手続補正２】
【補正対象書類名】図面
【補正対象項目名】全図
【補正方法】変更
【補正の内容】
【図１】
2003262737.tif 000001
【図２】
2003262737.tif 000002
【図３】
2003262737.tif 000003
【図４】
2003262737.tif 000004
【図５】
2003262737.tif 000005
【図６】
2003262737.tif 000006
【図７】
2003262737.tif 000007
【図８】
2003262737.tif 000008
【図９】
2003262737.tif 000009
【図１０】
2003262737.tif 000010